(57)【要約】【課題】外装部品との間に発生する放電を防止するプロジェクションテレビ装置の修理方法および修理装置を提供すること。【解決手段】複数のグリッド電極を有する電子銃を内部に配置し、かつ、複数のグリッド電極のうちの所定の第１電極に電圧を供給する陽極端子２２ａを設け、かつ、複数のグリッド電極のうちの所定の第２電極に電圧を供給するピン２７がステムベース２６部分に突出するブラウン管に対し、その陽極端子２２ａとピン２７との間に所定の高電圧を加えるインダクション装置２８を具備したプロジェクションテレビ装置の修理装置において、ピン２７が侵漬する絶縁性液体３７を収納する容器３１を設けた。【選択図】図３
2006180019.tif 000002
【特許請求の範囲】
【請求項１】
複数のグリッド電極を有する電子銃を内部に配置し、かつ、前記複数のグリッド電極のうちの所定の第１電極に電圧を供給する陽極端子を設け、かつ、前記複数のグリッド電極のうちの所定の第２電極に電圧を供給するピンがステムベース部分に突出するブラウン管に対し、このブラウン管の前記陽極端子と前記ピンとの間に所定の高電圧を加えるインダクション装置を具備したプロジェクションテレビ装置の修理装置において、前記ピンが侵漬する絶縁性液体を収納する容器を設けたことを特徴とするプロジェクションテレビ装置の修理装置。
【請求項２】
ピンを挿入する差し込み用の穴を設けたソケットが容器に固定されている請求項１記載のプロジェクションテレビ装置の修理装置。
【請求項３】
複数のグリッド電極を有する電子銃を内部に配置し、かつ、前記複数のグリッド電極のうちの所定の第１電極に電圧を供給する陽極端子を設け、かつ、前記複数のグリッド電極のうちの所定の第２電極に電圧を供給するピンがステムベース部分に突出するブラウン管に対し、このブラウン管の前記ピンを、容器内に収納した絶縁性液体中に侵漬する第１工程と、前記陽極端子と前記ピンとの間にインダクション装置から所定の高電圧を加える第２工程とからなるプロジェクションテレビ装置の修理方法。
【発明の詳細な説明】
【技術分野】
【０００１】
本発明は、複数のブラウン管が形成する互いに異なる色の単色画像を合成してカラー画像を生成するプロジェクションテレビ装置において、電子銃などに生じる耐電圧不良を修理するプロジェクションテレビ装置の修理方法および修理装置に関する。
【背景技術】
【０００２】
テレビジョンなどのカラー画像を再生する方法としていくつかの方法が実用化されている。その１つにプロジェクションテレビ装置がある。プロジェクションテレビ装置は、Ｒ（赤）、Ｂ（青）、Ｇ（緑）などのように互いに相違する色の単色画像を形成する３個のブラウン管を配置し、各ブラウン管が形成するＲ、Ｂ、Ｇの単色画像を画像再生装置、たとえば共通のスクリーン上で合成する構成になっている。
【０００３】
プロジェクションテレビ装置用のブラウン管は、たとえば外径が変化する漏斗状のファンネルおよびファンネルの径の大きい側に位置するフェース、ファンネルの径の小さい側に位置するネックなどから構成され、ネック内に電子銃を配置している。
【０００４】
電子銃は電子ビームを発生する陰極および陰極の前方に位置する複数のグリッド電極などから構成されている。複数のグリッド電極はたとえば５個で構成され、陰極に近い側から順に第１グリッド電極〜第５グリッド電極が設けられている。また、ファンネルを構成する壁部分に、第５グリッド電極などに電圧を供給する陽極端子が設けられ、ネック端部のステムベース部分には第１グリッド電極などに電圧を供給するピンが突出して設けられている。
【０００５】
上記の構成で、画像を形成する場合、ブラウン管内の陰極を加熱して電子ビームを発生させる。また、第３グリッド電極および第５グリッド電極には、たとえば陽極端子を通して所定大きさの第１電圧を印加し、第１グリッド電極および第２グリッド電極、第４グリッド電極には、ステムベースに設けたピンを通して第１電圧よりも低い第２電圧を印加し、陰極が発生する電子ビームを加速し収束する。加速収束した電子ビームは速度変調コイルで速度変調される。さらに、偏向コイルの制御によるファンネル裏面の蛍光面上の走査で画像が形成される。
【０００６】
上記した動作で、３個のブラウン管にそれぞれ相違する色の単色画像を形成させ、これらの単色画像をスクリーン上で合成し、カラー画像が再生される。
【０００７】
上記したプロジェクションテレビ装置は特許文献１などに開示されている。
【特許文献１】特開平５−１４５８７４号公報
【発明の開示】
【発明が解決しようとする課題】
【０００８】
プロジェクションテレビ装置を構成するブラウン管は、たとえばフェース裏面に蛍光面を形成し、またネック内に電子銃を配置し、さらにブラウン管内部を真空にして製造される。その後、ブラウン管のネック外側に速度変調コイルや偏向コイルなどが装着される。
【０００９】
上記したブラウン管は、その製造工程において、金属などの不純物が電子銃やネック内面などに付着し、耐電圧を低下させる場合がある。このような場合、たとえば高電圧を発生するインダクション装置を用いて、ファンネルに設けた陽極端子とブラウン管のステムベース部分に設けたピンとの間に高電圧を印加して、電子銃のグリッド電極間などに放電を発生させ、金属などの不純物を除去する処理、いわゆる高電圧処理が行われる。
【００１０】
しかし、プロジェクションテレビ装置は、ブラウン管のネック外側に速度変調コイルや偏向コイルなどの外装部品が配置されている。そのため、外装部品を実装した状態で、インダクション装置からブラウン管に高電圧を印加すると、速度変調コイルなどの外装部品とピンとの間などで放電が発生し、外装部品を損傷させることがある。
【００１１】
本発明は、上記した欠点を解決し、外装部品との間に発生する放電を防止するプロジェクションテレビ装置の修理方法および修理装置を提供することを目的とする。
【課題を解決するための手段】
【００１２】
本発明は、複数のグリッド電極を有する電子銃を内部に配置し、かつ、前記複数のグリッド電極のうちの所定の第１電極に電圧を供給する陽極端子を設け、かつ、前記複数のグリッド電極のうちの所定の第２電極に電圧を供給するピンがステムベース部分に突出するブラウン管に対し、このブラウン管の前記陽極端子と前記ピンとの間に所定の高電圧を加えるインダクション装置を具備したプロジェクションテレビ装置の修理装置において、前記ピンが侵漬する絶縁性液体を収納する容器を設けたことを特徴とする。
【００１３】
また、本発明のプロジェクションテレビ装置の修理方法は、複数のグリッド電極を有する電子銃を内部に配置し、かつ、前記複数のグリッド電極のうちの所定の第１電極に電圧を供給する陽極端子を設け、かつ、前記複数のグリッド電極のうちの所定の第２電極に電圧を供給するピンがステムベース部分に突出するブラウン管に対し、このブラウン管の前記ピンを、容器内に収納した絶縁性液体中に侵漬する第１工程と、前記陽極端子と前記ピンとの間にインダクション装置から所定の高電圧を加える第２工程とからなる。
【発明の効果】
【００１４】
本発明によれば、プロジェクションテレビ装置を構成するブラウン管の耐電圧不良などを修理するために、ブラウン管の陽極端子とピンとの間に電圧を加える場合に、ブラウン管のステムベース部分に突出するピンを絶縁性液体に侵漬している。したがって、速度変調コイルなどブラウン管外部に配置した外装部品などとの間に発生する放電を防止できる。
【発明を実施するための最良の形態】
【００１５】
本発明の実施形態について、プロジェクションテレビ装置の概略構造を示す図１を参照して説明する。図１（ａ）は正面方向から見た図、図１（ｂ）は側面方向から見た図である。
【００１６】
プロジェクションテレビ装置を構成する筐体１１内に複数のブラウン管１２、たとえば３個のブラウン管１２ｒ、１２ｇ、１２ｂが配置されている。ブラウン管１２ｒ、１２ｇ、１２ｂは互いに相違する色、たとえばＲ（赤）、Ｇ（緑）、Ｂ（青）の単色画像を形成する。各ブラウン管１２ｒ、１２ｇ、１２ｂが形成した単色画像は反射部１３で反射され、その後、画像再生部たとえばスクリーン１４上で合成され、カラー画像を再生する。
【００１７】
次に、プロジェクションテレビ装置を構成するブラウン管について図２を参照して説明する。
【００１８】
ブラウン管２１は、外径の大きさが変化する漏斗状のファンネル２２およびファンネル２２の径の大きい側に位置するフェース２３、ファンネル２２の径の小さい側に位置するネック２４などがたとえば一体に構成され、ネック２４内に電子銃２５が配置されている。また、ネック２４端部に絶縁性のステムベース２６が設けられ、ステムベース２６部分に、複数のピン２７が外部に突出して設けられている。また、ファンネル２２を構成する壁部分に設けた陽極端子２２ａが形成されている。
【００１９】
電子銃２５は電子ビームを発生する陰極Ｋなどから構成され、陰極Ｋの前方に複数のグリッド電極、たとえば陰極Ｋに近い側から順に第１〜第５の５個のグリッド電極Ｇ１〜Ｇ５が設けられている。たとえば第１、第２、第４のグリッド電極Ｇ１、Ｇ２、Ｇ４はネック２４内で互いに電気的に接続され、これらのグリッド電極Ｇ１、Ｇ２、Ｇ４はピン２７と電気的に接続されている。また、第３グリッド電極Ｇ３および第５グリッドＧ５も、ネック２４内で互いに電気的に接続され、これらのグリッド電極Ｇ３、Ｇ５は、たとえば陽極端子２２ａと電気的に接続されている。
【００２０】
また、ネック２４の外側に、電子ビームの速度を変調し画像の輪郭を強調するための速度変調コイル２８が配置され、速度変調コイル２８の外側にシールド板２９が配置されている。速度変調コイル２８のファンネル２２側に偏向コイル３０が配置されている。
【００２１】
上記した構成において、通常の動作時、たとえば画像を形成する場合、陰極Ｋを加熱して電子ビームを発生させる。同時に、陽極端子２２ａおよびピン２７を通して電子銃の各グリッド電極Ｇ１〜Ｇ５に電圧を印加し、陰極Ｋが発生する電子ビームを加速し収束する。加速収束した電子ビームは速度変調コイル２８で速度変調される。また、偏向コイル３０で偏向され、フェース２２裏面の蛍光面に画像を形成する。
【００２２】
上記した構成のブラウン管２１は、速度変調コイル２８や偏向コイル３０などの外装部品を実装した後に、耐電圧不良を修理する場合、たとえばインダクション装置（図示せず）の正側出力端子を陽極端子２２ａに接続し、負側出力端子をステムベース２６に設けたピン２７に接続する。そして、陽極端子２２ａとピン２７との間に、たとえば７０〜８０ｋＶのパルス状の電圧を印加し、電子銃２５のグリッド電極間などに放電を発生させ、その近傍に付着した金属の付着物などを除去する。
【００２３】
ここで、インダクション装置の負出力端子とピン２７とを接続する接続部分の構造について、ネック近傍を抜き出した図３を参照して説明する。図３は図２に対応する部分に同じ符号を付し重複する説明を一部省略する。
【００２４】
ネック２４端部たとえばステムベース２６部分が容器３１内に挿入されている。容器３１は円筒状の側壁３２および側壁３２の図示下方の開口を封止する底板３３、側壁３２の図示上方に設けた上板３４などから構成されている。上板３４にはネック２４が貫通する貫通穴３４ａが設けられている。また、底板３３上にソケット３５が固定されている。ソケット３５には差し込み用の複数の穴３６が設けられている。その穴３６の内面には導電性部材による導電層３６ａが形成され、ステムベース２６から突出する複数のピン２７がその導電層３６ａに密着するように差し込まれている。また、容器３１内に、ネック２４端部のステムベース２６部分が侵漬する絶縁性液体３７が収納されている。この場合、ピン２７が突出するステムベース２６部分の全体が絶縁性液体３７に没するようにし、たとえば絶縁性液体３７の液面がステムベース２６の図示上面よりも５ｍｍ程度上になるようにする。
【００２５】
上記した構成において、インダクション装置３８の正側出力端子を高圧端子２２ａ（図２）に接続し、電子銃の第５グリッド電極Ｇ５および第３グリッド電極Ｇ３に正電圧を印加する。また、インダクション装置３８の負側出力端子をソケット３５に接続する。そして、ソケット３５に設けた導電層３６ａなどを通して電子銃の第１グリッド電極Ｇ１および第２グリッド電極Ｇ２、第４グリッド電極Ｇ４に負電圧を印加し、いわゆる高電圧処理を行う。このとき、たとえば電子銃のグリッド電極間などに放電が発生し、電子銃などに付着した不純物が除去される。
【００２６】
上記した構成によれば、インダクション装置の負電圧が印加されるピン２７が絶縁性液体３７中に侵漬している。したがって、電子銃の電極間に放電を発生させる場合に、ネック２４などの外側に配置される外装部品、たとえば速度変調コイル２８などとの間の放電が防止される。
【００２７】
また、ステムベース２６に設けたピン２７がソケット３５の差し込み用の穴３６に差し込まれている。この場合、たとえばピン２７の差し込み用穴３６への差し込みで、ピン２７とソケット３５が強固に固定し、ネック２４端部にソケット３５が固定される。したがって、容器３１をネック２４などに固定する固定用部材が不要で、その分、容器３１の構造が簡単になる。
【００２８】
上記した構成によれば、高電圧処理時に、速度変調コイルなどの外装部品に発生する放電が防止され、プロジェクションテレビ装置の損傷発生を防止できる。また、速度変調コイルなどの外装部品を実装した状態での高電圧処理が容易に行える。
【図面の簡単な説明】
【００２９】
【図１】本発明が適用されるプロジェクションテレビ装置を説明する概略構造図である。
【図２】本発明の実施形態を説明する概略構造図である。
【図３】本発明の実施形態を説明する概略断面図で、ネック近傍部分を抜き出した図である。
【符号の説明】
【００３０】
１１…筐体
１２…ブラウン管
１３…反射部
１４…スクリーン
２１…ブラウン管
２２…ファンネル
２３…フェース
２４…ネック
２５…電子銃
２６…ステムベース
２７…ピン
２８…速度変調コイル
３０…偏向コイル
３１…容器
３５…ソケット
３７…絶縁性液体
【図１】
2006180019.tif 000003
【図２】
2006180019.tif 000004
【図３】
2006180019.tif 000005